【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
人間の存在を検出するための方法であって、  検出領域内の第１位置に配置された第１トランシーバを準備する段階と；  前記検出領域内の第２位置に配置された第２トランシーバを準備する段階と；  前記第１トランシーバに通信可能に結合されたコンピュータサーバーと；  前記第１トランシーバが、第１組のワイヤレス信号を、前記第２トランシーバから前記ワイヤレス通信ネットワークを介して受信する段階と；  前記コンピュータサーバーが、前記第１トランシーバから第１組の信号データを受信する段階であって、前記第１組の信号データは、前記第１組のワイヤレス信号の特性に関するデータを含み、前記特性データは、前記通信ネットワーク上の前記第１トランシーバの通常動作の一部として生成される、受信する段階と；  前記コンピュータサーバーが、前記第２トランシーバから前記第１トランシーバへの通信に関するベースライン信号プロファイルを生成する段階であって、前記ベースライン信号プロファイルは、前記受信された第１組の信号データの前記ワイヤレス信号特性に少なくとも部分的に基づいており、かつ、人間が前記検出領域に存在しないときの、前記第２トランシーバから前記第１トランシーバへのワイヤレス送信の特性を表す、生成する段階と；  前記第１トランシーバが、前記第２トランシーバから前記ワイヤレス通信ネットワークを介して第２組のワイヤレス信号を受信する段階と；  前記コンピュータサーバーが、前記第１トランシーバから第２組の信号データを受信する段階であって、前記第２組の信号データは、前記第２組のワイヤレス信号の特性に関するデータを含み、前記特性データは、前記通信ネットワーク上の前記第１トランシーバの通常動作の一部として生成される、受信する段階と；  前記コンピュータサーバーが、人間が前記検出領域内に存在するか否かを判断する段階であって、前記判断は、前記受信された第２組のワイヤレス信号データの前記ワイヤレス信号特性の、前記ベースライン信号プロファイルとの比較に少なくとも部分的に基づく、判断する段階とを含む方法。
【請求項２】
前記第１組の信号特性は、前記第１トランシーバによって特定されるワイヤレスネットワーク信号プロトコル特性を含む、請求項１に記載の方法。
【請求項３】
前記ワイヤレスネットワーク信号プロトコル特性は、受信された信号強度、待ち時間、およびビット誤り率からなる群から選択される、請求項２に記載の方法。
【請求項４】
前記検出領域内の第３位置に配置された第３トランシーバを準備する段階と；  前記第１トランシーバは、前記第３トランシーバから前記ワイヤレス通信ネットワークを介して第３組のワイヤレス信号を受信する段階と；  前記コンピュータサーバーが、前記第１トランシーバから第３組の信号データを受信する段階であって、前記第３組の信号データは、前記第３組のワイヤレス信号の特性に関するデータを含み、前記特性データは、前記通信ネットワーク上の前記第１トランシーバの通常動作の一部として生成される、受信する段階と；  前記コンピュータサーバーが、前記第３トランシーバから前記第１トランシーバへの通信に関する第２ベースライン信号プロファイルを生成する段階であって、前記第２ベースライン信号プロファイルは、前記受信された第３組の信号データの前記ワイヤレス信号特性に少なくとも部分的に基づいており、かつ、人間が前記検出領域に存在しないときの、前記第３トランシーバから前記第１トランシーバへのワイヤレス送信の特性を表す、生成する段階と；  前記第１トランシーバは、前記第３トランシーバから前記ワイヤレス通信ネットワークを介して第４組のワイヤレス信号を受信する段階と；  前記コンピュータサーバーが、前記第１トランシーバから第４組の信号データを受信する段階であって、前記第４組の信号データは、前記第４組のワイヤレス信号の特性に関するデータを含み、前記特性データは、前記通信ネットワーク上の前記第１トランシーバの通常動作の一部として生成される、受信する段階と；  前記判断する段階において、前記コンピュータサーバーは、人間が前記検出領域内に存在するか否かを、前記受信された第４組のワイヤレス信号データの前記ワイヤレス信号特性の、前記第２ベースライン信号プロファイルとの比較に少なくとも部分的に基づいて判断する段階とをさらに含む、請求項１に記載の方法。
【請求項５】
前記判断する段階は、人間の存在を判断するために、統計的方法を前記第２組のワイヤレス信号データに適用する、請求項１に記載の方法。
【請求項６】
前記コンピュータサーバーが前記検出領域内の人間の存在または不在を連続的に判断する段階であって、前記判断は、前記ベースライン信号プロファイルの、前記第１トランシーバから前記コンピュータサーバーで連続的に受信される前記第１組のワイヤレス信号の特性に関するデータを含む信号データとの比較に少なくとも部分的に基づく、判断する段階と；  前記コンピュータは、前記連続的に受信される信号データが前記検出領域内における人間の不在を示すときに、前記連続的に受信される信号データに基づいて前記ベースライン信号プロファイルを連続的に更新する段階とをさらに含む、請求項１に記載の方法。
【請求項７】
前記コンピュータサーバーが、前記検出領域内に存在する人間の数を特定する段階をさらに含み、当該特定は、前記受信された第２組の信号特性の、前記ベースライン信号プロファイルとの比較に少なくとも部分的に基づく、請求項１に記載の方法。
【請求項８】
前記コンピュータサーバーが、前記検出領域内に存在する１人以上の人間の位置を特定する段階をさらに含み、当該特定は、前記受信された第２組の信号特性の、前記ベースライン信号プロファイルとの比較に少なくとも部分的に基づく、請求項７に記載の方法。
【請求項９】
前記コンピュータサーバーが第２システムに動作可能に結合されている段階をさらに含み；  前記コンピュータは、前記コンピュータサーバーが前記検出領域内に人間の存在を検出した後のみに、前記第２システムを動作させる、請求項１に記載の方法。
【請求項１０】
前記検出ネットワークおよび前記第２システムが、同じ通信プロトコルを用いて通信するよう構成されている、請求項９に記載の方法。
【請求項１１】
前記第２システムは電気システムである、請求項９に記載の方法。
【請求項１２】
前記第２システムは照明システムである、請求項９に記載の方法。
【請求項１３】
前記第２システムは、暖房、換気および空調（ＨＶＡＣ）システムである、請求項９に記載の方法。
【請求項１４】
前記第２システムは警備システムである、請求項９に記載の方法。
【請求項１５】
前記第２システムは産業オートメーションシステムである、請求項９に記載の方法。
【請求項１６】
前記ワイヤレス通信プロトコルは、ブルートゥース（登録商標）、ブルートゥース（登録商標）ローエネルギー、アント、アント＋、ワイファイ、ジグビー、およびＺ−ウェイブからなる群から選択される、請求項１に記載の方法。
【請求項１７】
前記ワイヤレス通信ネットワークは、８５０  ＭＨｚから１７．５  ＧＨｚまでの範囲の搬送周波数を備える、請求項１に記載の方法。
【請求項１８】
人間が前記検出領域内に存在するか否かの前記判断は、機械学習に基づいて調節され、これは：  前記検出領域内で基準要素を備えた人間の第１サンプル位置を特定する段階であって、前記第１サンプル位置は前記基準要素の検出に基づいて特定される、特定する段階と；  前記検出領域内で前記人間の第２サンプル位置を特定する段階であって、前記第２サンプル位置は、前記受信された第２組の信号データの、前記ベースライン信号プロファイルとの比較に少なくとも部分的に基づいて、前記基準要素を使用しないで特定される、特定する段階と；  前記第１サンプル位置を前記第２サンプル位置と比較する段階と；  前記特定する段階を、前記システムの位置計算能力を向上させるため、非基準要素位置に基づいて調節する段階とを含み、前記調節は前記比較する段階に基づく、請求項１に記載の方法。
【請求項１９】
前記検出領域内に人間が一定時間にわたって存在していたか否かを示す複数の履歴データ記録を、前記コンピュータサーバーが格納する段階であって、前記履歴データ記録のぞれぞれは、前記検出領域内で検出された人間の数と、前記数の人間が前記検出領域内で検出されたときの日付および時刻との指示を含む、格納する段階と、  前記コンピュータサーバーが、前記履歴データ記録を、１つ以上の外部コンピュータシステムにインターフェースを介して利用可能とする段階とをさらに含む、請求項１に記載の方法。
【請求項２０】
人間の存在を検出するための方法であって、  検出領域内の第１位置に配置された第１トランシーバを準備する段階と；  前記検出領域内の第２位置に配置された第２トランシーバを準備する段階と；  前記第１トランシーバに通信可能に結合されたコンピュータサーバーを準備する段階と；  前記コンピュータサーバーに動作可能に結合された第１外部システムを準備する段階と；  前記コンピュータサーバーに動作可能に結合された第２外部システムを準備する段階と；  前記コンピュータサーバーが、前記第１トランシーバから一組のベースライン信号データを受信する段階であって、前記一組のベースライン信号データは、前記検出領域内に人間が存在しないときに、前記第１トランシーバによって前記第２トランシーバから受信された第１組のワイヤレス信号の信号特性に関する特性データを含み、前記特性データは、前記通信ネットワーク上の前記第１トランシーバの通常動作の一部として前記第１トランシーバによって生成される、受信する段階と；  前記検出領域内に人間が存在しないときに、前記コンピュータサーバーが、前記第２トランシーバから前記第１トランシーバへの通信に関するベースライン信号プロファイルを生成する段階であって、前記ベースライン信号プロファイルは、人間が前記検出領域に存在しないときの、前記第２トランシーバから前記第１トランシーバへのワイヤレス送信の特性を表す前記特性データに少なくとも部分的に基づく、生成する段階と；  前記コンピュータサーバーが、前記第１トランシーバから第１組のサンプルベースライン信号データを受信する段階であって、前記第１組のサンプルベースライン信号データは、前記検出領域内に人間が存在するときに、前記第１トランシーバによって前記第２トランシーバから受信された第２組のワイヤレス信号の信号特性に関する特性データを含み、前記特性データは、前記通信ネットワーク上の前記第１トランシーバの通常動作の一部として前記第１トランシーバによって生成される、受信する段階と；  前記検出領域内に人間が存在するときに、前記コンピュータサーバーが、前記第２トランシーバから前記第１トランシーバへの通信に関する第１サンプルベースライン信号プロファイルを生成する段階であって、前記第１サンプルベースライン信号プロファイルは、人間が前記検出領域に存在するときの、前記第２トランシーバから前記第１トランシーバへのワイヤレス送信の特性を表す、前記第１組のサンプルベースライン信号データの前記特性データに少なくとも部分的に基づく、生成する段階と；  前記コンピュータサーバーが、前記第１トランシーバから第２組のサンプルベースライン信号データを受信する段階であって、前記第２組のサンプルベースライン信号データは、前記検出領域内に人間が存在するときに、前記第１トランシーバによって前記第２トランシーバから受信された第３組のワイヤレス信号の信号特性に関する特性データを含み、前記特性データは、前記通信ネットワーク上の前記第１トランシーバの通常動作の一部として前記第１トランシーバによって生成される、受信する段階と；  前記検出領域内に人間が存在するときに、前記コンピュータサーバーが、前記第２トランシーバから前記第１トラン��ーバへの通信に関する第２サンプルベースライン信号プロファイルを生成する段階であって、前記第２サンプルベースライン信号プロファイルは、人間が前記検出領域に存在するときの、前記第２トランシーバから前記第１トランシーバへのワイヤレス送信の特性を表す、前記第２組のサンプルベースライン信号データの前記特性データに少なくとも部分的に基づく、生成する段階と；  前記コンピュータサーバーが、前記第１トランシーバから第３組のサンプルベースライン信号データを受信する段階であって、前記第３組のサンプルベースライン信号データは、前記検出領域内に人間が存在するときに、前記第１トランシーバによって前記第２トランシーバから受信された第４組のワイヤレス信号の信号特性に関する特性データを含み、前記特性データは、前記通信ネットワーク上の前記第１トランシーバの通常動作の一部として前記第１トランシーバによって生成される、受信する段階と；  前記コンピュータサーバーは、前記第３組のサンプルベースライン信号データの前記特性データが前記第１サンプルベースライン信号プロファイルに一致するとの前記コンピュータサーバーによる判断に基づいて、前記第１外部システムを動作させるよう決定する段階と、  前記コンピュータサーバーは、前記第３組のサンプルベースライン信号データの前記特性データが前記第２サンプルベースライン信号プロファイルに一致しないとの前記コンピュータサーバーによる判断に基づいて、前記第２外部システムを動作させないよう決定する段階とを含む、方法。
【請求項２１】
前記第１外部システムを動作させるという決定および前記第２外部システムを動作させないという決定の少なくとも１つは、機械学習に基づいて調節され、これは：  前記検出領域内で基準要素を備えた人間の第１サンプル位置を特定する段階であって、前記第１サンプル位置は前記基準要素の検出に基づいて特定される、特定する段階と；  前記検出領域内で前記人間の第２サンプル位置を特定する段階であって、前記第２サンプル位置は、前記受信された第２組の信号データの、前記ベースライン信号プロファイルとの比較に少なくとも部分的に基づいて、前記基準要素を使用しないで特定される、特定する段階と；  前記第１サンプル位置を前記第２サンプル位置と比較する段階と；  前記少なくとも１つの特定する段階を、前記システムの位置計算能力を向上させるため、非基準要素位置に基づいて調節する段階とを含み、前記調節は前記比較する段階に基づく、請求項２０に記載の方法。
【請求項２２】
前記ワイヤレス信号の前記特性データは、受信された信号強度、待ち時間、およびビット誤り率からなる群から選択される信号特性に関するデータを含む、請求項２０に記載の方法。
【請求項２３】
前記コンピュータサーバーは、統計的方法を前記第１組のサンプルベースライン信号データに適用することで、前記第１サンプルベースライン信号プロファイルを生成し、前記コンピュータサーバーは、統計的方法を前記第２組のサンプルベースライン信号データに適用することで、前記第２サンプルベースライン信号プロファイルを生成する、請求項２０に記載の方法。
【請求項２４】
前記コンピュータサーバーが、前記第１トランシーバから付加的な組のベースライン信号データを受信する段階であって、前記付加的な組の信号データは、前記第１トランシーバによって前記第２トランシーバから受信される第２組のワイヤレス信号の信号特性に関する特性データを含み、前記特性データは、前記通信ネットワーク上の前記第１トランシーバの通常動作の一部として前記第１トランシーバによって生成される、受信する段階と、前記コンピュータサーバーは、前記連続的に受信される付加的な組のベースライン信号データが前記検出領域内における人間の不在を示すときに、前記連続的に受信される付加的な組のベースライン信号データに基づいて前記ベースライン信号プロファイルを更新する段階とをさらに含む、請求項２０に記載の方法。
【請求項２５】
前記コンピュータサーバーが前記第１トランシーバから一組の信号データを受信する段階であって、前記一組の信号データは、１人以上の人間が前記検出領域内に存在するときに、前記第１トランシーバによって前記第２トランシーバから受信される第２組のワイヤレス信号の信号特性に関する特性データを含み、前記特性データは、前記通信ネットワーク上の前記第１トランシーバの通常動作の一部として前記第１トランシーバによって生成される、受信する段階と；  前記コンピュータサーバーは、前記検出領域内に存在する人間の数量を、前記一組の信号データの、前記ベースライン信号プロファイルとの比較に少なくとも部分的に基づいて特定する段階とをさらに含む、請求項２０に記載の方法。
【請求項２６】
前記コンピュータサーバーが前記検出領域内に存在する前記１人以上の人間それぞれの位置を特定する段階をさらに含み、当該特定は、前記一組の信号データの、前記ベースライン信号プロファイルとの比較に少なくとも部分的に基づく、請求項２１に記載の方法。
【請求項２７】
人間が前記検出領域内に存在しているときに、前記第３組のサンプルベースライン信号データの前記特性データが前記第２サンプルベースライン信号プロファイルに一致する場合であっても、前記コンピュータサーバーは、人間が前記検出領域内に存在していると判断し、前記第１外部システムを動作させる、請求項２１に記載の方法。
【請求項２８】
人間が前記検出領域内に存在しているときに、前記第３組のサンプルベースライン信号データの前記特性データが前記第２サンプルベースライン信号プロファイルに一致する場合のみに、前記コンピュータサーバーは、人間が前記検出領域内に存在していると判断し、前記第２外部システムを動作させる、請求項２１に記載の方法。
【請求項２９】
前記ワイヤレス通信ネットワークは、８５０  ＭＨｚから１７．５  ＧＨｚまでの範囲の搬送周波数を備える、請求項２１に記載の方法。
【請求項３０】
前記検出領域内に人間が一定時間にわたって存在していたか否かを示す複数の履歴データ記録を、前記コンピュータサーバーが格納する段階であって、前記履歴データ記録のぞれぞれは、前記検出領域内で検出された人間の数と、前記数の人間が前記検出領域内で検出されたときの日付および時刻との指示を含む、格納する段階と、  前記コンピュータサーバーが、前記履歴データ記録を、１つ以上の外部コンピュータシステムにインターフェースを介して利用可能とする段階とをさらに含む、請求項２１に記載の方法。